(57)【要約】【課題】  骨折した骨を接合するためのスクリューと骨との結合を緩めて、スクリューを折損することなく抜去を容易に行うことのできる外科用電動工具を提供する。【解決手段】  外科用電動工具１であって、工具取付軸１５とモータの回転軸９との間に、前記工具取付軸１５を往復回動すべく前記回転軸９の回転を往復回動に変換するための運動変換機構１９を備えていると共に前記工具取付軸１５の回動角を調節するための回動角調整機構を備えている。また、外科用電動工具１であって、工具を着脱交換可能な工具取付軸１５を、ケーシング７に回動可能に備えられた偏心カラー１１の偏心位置に回転自在に支持して設け、前記工具取付軸１５に一体的に備えたアーム２１に形成したスロット状の係合部２３に、モータの回転軸９の偏心位置に取付けた係合ピン２５を摺動自在に係合してある。【選択図】  図２
2006198326.tif 000002
【特許請求の範囲】
【請求項１】
外科用電動工具であって、工具取付軸とモータの回転軸との間に、前記工具取付軸を往復回動すべく前記回転軸の回転を往復回動に変換するための運動変換機構を備えていると共に前記工具取付軸の回動角を調節するための回動角調整機構を備えていることを特徴とする外科用電動工具。
【請求項２】
外科用電動工具であって、工具を着脱交換可能な工具取付軸を、ケーシングに回動可能に備えられた偏心カラーの偏心位置に回転自在に支持して設け、前記工具取付軸に一体的に備えたアームに形成したスロット状の係合部に、モータの回転軸の偏心位置に取付けた係合ピンを摺動自在に係合してあることを特徴とする外科用電動工具。
【発明の詳細な説明】
【技術分野】
【０００１】
本発明は、例えば骨折した骨を接合するために、骨内固定材料として使用されたスクリューを抜去する際に使用する外科用電動工具に係り、さらに詳細には、骨と強固に結合した状態のスクリューを容易に緩めることのできる外科用電動工具に関する。
【背景技術】
【０００２】
例えば、骨折した骨を接合するとき、骨内固定材料としてスクリューが使用されることがある。そして、骨が接合した後に、前記スクリューを抜き去ることが一般的である。なお、本発明に係る先行例として特許文献１がある。
【特許文献１】特開２００３−１０２００号公報
【発明の開示】
【発明が解決しようとする課題】
【０００３】
前述のごとく、骨接合用に使用されるスクリューの材質は一般的にはチタン製であることが多い。チタンは生体親和性が高いので、チタン製のスクリューを骨内固定材料として使用し長時間経ると、骨と前記スクリューとが強固に一体的に結合されることになる。したがって、前記スクリューを抜去するときには、スクリューを回転するために大きな力が必要である。また、骨とスクリューとの結合が強固であることにより、工具によってスクリューを回転するとき、スクリューが折損することがある。
【課題を解決するための手段】
【０００４】
本発明は、前述のごとき問題に鑑みてなされたもので、外科用電動工具であって、工具取付軸とモータの回転軸との間に、前記工具取付軸を往復回動すべく前記回転軸の回転を往復回動に変換するための運動変換機構を備えていると共に前記工具取付軸の回動角を調節するための回動角調整機構を備えていることを特徴とするものである。
【０００５】
また、外科用電動工具であって、工具を着脱交換可能な工具取付軸を、ケーシングに回動可能に備えられた偏心カラーの偏心位置に回転自在に支持して設け、前記工具取付軸に一体的に備えたアームに形成したスロット状の係合部に、モータの回転軸の偏心位置に取付けた係合ピンを摺動自在に係合してあることを特徴とするものである。
【発明の効果】
【０００６】
本発明によれば、工具取付軸を小さな角度でもって往復回動することができ、骨に強固に結合した状態のスクリューを緩めることができるものであり、スクリューを折損することなく抜去することができる。
【発明を実施するための最良の形態】
【０００７】
図１を参照するに、本発明の実施形態に係る外科用電動工具１は、モータ（図示省略）を内装したモータハウジング３を備えており、このモータハウジング３にはモータの回転数を調整するための例えばスイッチなどのごとき回転調整手段５を備えている。なお、この種のモータは、電動工具において公知であるから、モータについての詳細な説明は省略する。
【０００８】
前記モータハウジング３には適宜形状のケーシング７が着脱可能に取付けてあり、このケーシング７において、前記モータの回転軸９（図２参照）から当該回転軸９の径方向に大きく離れた位置には偏心カラー１１が回動可能に備えられている。そして、この偏心カラー１１の軸心から偏心した位置に形成した貫通孔１３には、軸受を介して工具取付軸１５が回転自在に支承されている。したがって、工具取付軸１５の軸心は偏心カラー１１の軸心に対して常に偏心した位置にあり、前記偏心カラー１１を軸心回りに回動すると、工具取付軸１５の軸心は、偏心カラー１１の軸心回りに回動されるものである。
【０００９】
前記工具取付軸１５の先端側には、スクリュー（図示省略）のヘッドに形成した多角形状の係合凹部又は係合凸部などの被係合部と係合する係合部１７Ａを先端部に備えた緩め工具１７が着脱交換可能に取付けてある。すなわち、前記工具取付軸１５の先端側には種々の工具を取付けることが可能であり、例えばスクリューのヘッドに形成した被係合部の形状寸法に対応するように種々の係合部を備えた工具を取付けることができるものである。
【００１０】
前記モータの回転軸９の回転を往復回動に変換して前記工具取付軸１５へ伝達するために、前記回転軸９から前記工具取付軸１５へ動力を伝達する動力伝達経路すなわち回転軸９と工具取付軸１５との間には運動変換機構１９が設けられている。
【００１１】
より詳細には、前記工具取付軸１５の内端側には、当該工具取付軸１５の軸心に対して直交する方向すなわち前記回転軸９の先端部に対向する位置方向へ延伸したアーム２１が一体的に取付けてあり、このアーム２１には、アーム２１の長手方向に長いスリット又はスロット或は溝などのごときスロット状の係合部２３が形成してある。そして、上記係合部２３には、前記回転軸９の先端部の僅かに偏心位置に備えた係合ピン２５が摺動自在に係合してある。
【００１２】
したがって、モータを駆動して回転軸９を回転すると、回転軸９の先端側に備えた前記係合ピン２５は、回転軸９の軸心を中心として公転（偏心回転）する。よって、アーム２１は、前記係合ピン２５と係合部２３との係合関係により、工具取付軸１５の軸心を中心として往復揺動されることになり、前記工具取付軸１５は小さな角度範囲において往復回動する。
【００１３】
上記構成により、緩め工具１７に備えた係合部１７Ａを、骨内固定材料として骨の接合部に螺入埋設されたスクリューにおけるヘッドに形成した被係合部に係合した状態においてモータを駆動すると、前記スクリューは、小さな角度でもって往復回動される。すなわちスクリューは、スクリューの軸心回りに回動方向に振動されることになる。そして、上記振動数は、回転調整手段５によってモータの回転数を調整することにより、例えば３０００〜１８０００回／分の範囲で調整され、骨とスクリューとの強固な結合が解除されることになる。よって、スクリューを折損することなく抜去することができるものである。
【００１４】
ところで、前記偏心カラー１１を回動して、図３（Ａ）に示すように、工具取付軸１５の軸心１５Ａを、偏心カラー１１の軸心１１Ａの上方位置、すなわち、偏心カラー１１の軸心１１Ａを間にして前記係合ピン２５の反対側へ位置せしめると、前記軸心１５Ａから係合ピン２５の位置までの寸法が大きくなり、係合ピン２５の偏心回転によるアーム２１の揺動角（回動角）θ１は小さくなる。
【００１５】
次に、図３（Ｂ）に示すように、前記偏心カラー１１を９０°回動して、工具取付軸１５の軸心１５Ａを偏心カラー１１の軸心１１Ａと同一高さに調整すると、前記軸心１５Ａと係合ピン２５との距離が短くなるので、アーム２１の揺動角θ２は、揺動角θ１より大きくなる。さらに、偏心カラー１１を回動して、工具取付軸１５の軸心１５Ａを、図３（Ｃ）に示すように、偏心カラー１１の軸心１１Ａと係合ピン２５との間に位置決めすると、軸心１５Ａと係合ピン２５との間の距離が最短になるので、アーム２１の揺動角θ３は最大になる。
【００１６】
上記説明より理解されるように、偏心カラー１１を適宜に回動することにより、アーム２１の揺動角（回動角）を調整することができ、工具取付軸１５の回動角をθ１〜θ３の間で無段階に調整することができるものであり、前記偏心カラー１１等は回動角度調整機構を構成するものである。換言すれば、工具取付軸１５の回動方向の振動における振幅を調整することができるものであり、振幅調整機構を構成するものであるということもできるものである。
【００１７】
既に理解されるように、工具取付軸１５の回動方向への振動の振動数及び振幅を調整できるものであるから、スクリューの径の大小や骨とスクリューとの結合強度に対応して適正な振動条件に調整可能である。したがって、種々の形状寸法のスクリューに対応して使用することができ、骨とスクリューとの結合を、スクリューを折損することなく緩めることができ、スクリューの抜去を容易に行い得るものである。
【００１８】
ところで、前記説明においては、工具取付軸１５に対して緩め工具１７を取付けて、外科用電動工具１を、スクリューを緩めるための電動工具として使用する場合について例示し説明したが、前記緩め工具１７に代えて、工具取付軸１５にカッターを取付けた場合には、例えばギプスを切断するための電動工具として使用することができる。この場合、例えば円板状のカッターを使用した場合には、回転による切断ではなく回転角度を自在に変更可能な往復回動による切断であるから、ギブス材質や厚さに回動角度や振動数を最適に合わせ、切味を良くし、余分な粉塵の飛散を抑制できると共にカッター外周部の複数箇所を使い分けることができ、カッターの長寿命化を図ることができるものである。
【図面の簡単な説明】
【００１９】
【図１】本発明の実施形態に係る外科用電動工具の外観を示すもので、一部省略して図示してある。
【図２】上記外科用電動工具の主要部分を示す断面説明図である。
【図３】揺動角度の角度調整の説明図である。
【符号の説明】
【００２０】
１  外科用電動工具
７  ケーシング
９  回転軸
１１  偏心カラー
１５  工具取付軸
１７  緩め工具
１９  運動変換機構
２１  アーム
２３  係合部
２５  係合ピン
【図１】
2006198326.tif 000003
【図２】
2006198326.tif 000004
【図３】
2006198326.tif 000005